(57)【特許請求の範囲】
【請求項１】
デジタル情報を記録する第１の記録手段と、この第１の記録手段に対するバックアップ要求に基づいて、該第１の記録手段からデジタル情報を読み出して外部に出力させる制御手段とを有する第１の記録再生装置と、
デジタル情報を記録する第２の記録手段を有し、前記第１の記録再生装置と所定の接続ケーブルによって接続されるもので、前記第１の記録再生装置によって制御され、前記制御手段によって外部に出力されたデジタル情報を前記第２の記録手段に記録する第２の記録再生装置とを具備し、
前記第１の記録手段は、前記デジタル情報に第１の暗号鍵に基づいた暗号化処理を施してデジタル記録し、前記制御手段は、前記第１の記録手段から読み出した前記第１の暗号鍵で暗号化されたデジタル情報に、第２の暗号鍵に基づいた暗号化処理を施して外部に出力させるとともに、前記第２の暗号鍵を外部に出力させ、
前記第２の記録再生装置は、前記制御手段によって外部に出力されたデジタル情報を前記第２の暗号鍵に基づいて復号することにより前記第１の暗号鍵で暗号化されたデジタル情報を得、この得たデジタル情報を前記第２の記録手段に記録することを特徴とするデジタル情報記録再生システム。
【請求項２】
デジタル情報を記録する第１の記録手段と、この第１の記録手段に対するバックアップ要求に基づいて、該第１の記録手段からデジタル情報を読み出して外部に出力させる制御手段とを有する第１の記録再生装置と、
デジタル情報を記録する第２の記録手段を有し、前記第１の記録再生装置と所定の接続ケーブルによって接続されるもので、前記第１の記録再生装置によって制御され、前記制御手段によって外部に出力されたデジタル情報を前記第２の記録手段に記録する第２の記録再生装置とを具備し、
前記第２の記録再生装置は、前記第１の記録再生装置の制御に基づいて、前記第２の記録手段から読み出したデジタル情報に前記第１の記録再生装置により外部に出力された暗号鍵に基づいた暗号化処理を施して、前記第１の記録再生装置に出力することを特徴とするデジタル情報記録再生システム。
【請求項３】
デジタル情報を記録する第１の記録手段と、この第１の記録手段に対するバックアップ要求に基づいて、該第１の記録手段からデジタル情報を読み出して外部に出力させる制御手段とを有する第１の記録再生装置と、
デジタル情報を記録する第２の記録手段を有し、前記第１の記録再生装置と所定の接続ケーブルによって接続されるもので、前記第１の記録再生装置によって制御され、前記制御手段によって外部に出力されたデジタル情報を前記第２の記録手段に記録する第２の記録再生装置とを具備し、
前記第２の記録再生装置は、前記第１の記録再生装置の制御に基づいて、前記第２の記録手段から読み出したデジタル情報に前記第２の記録再生装置が固有に有する暗号鍵に基づいた暗号化処理を施して前記第１の記録再生装置に出力するとともに、前記暗号鍵を前記第１の記録再生装置に出力することを特徴とするデジタル情報記録再生システム。
【請求項４】
前記第１の記録再生装置は、自己に接続された前記第２の記録再生装置が、予め機器情報を登録されている特定の機器であるかどうかの認証を行ない、認証が確立されたとき前記第２の記録再生装置に対してデジタル情報の出力を可能とすることを特徴とする請求項１乃至３いずれかに記載のデジタル情報記録再生システム。
【請求項５】
前記第１及び第２の記録再生装置は、それぞれが製造モード及び修理モードの少なくとも一方に設定されたときにだけ相互間でのデータ転送を可能とすることを特徴とする請求項１乃至４いずれかに記載のデジタル情報記録再生システム。
【請求項６】
デジタル情報に第１の暗号鍵に基づいた暗号化処理を施してデジタル記録する記録手段と、この記録手段に対するバックアップ要求に基づいて、前記記録手段から読み出した前記第１の暗号鍵で暗号化されたデジタル情報に、第２の暗号鍵に基づいた暗号化処理を施して外部に出力させるともに、前記第２の暗号鍵を外部に出力させる制御手段とを有するデジタル情報記録再生装置と所定の接続ケーブルによって接続されるもので、前記デジタル情報記録再生装置によって制御され、前記デジタル情報記録再生装置から出力されたデジタル情報を、前記第２の暗号鍵を用いて復号して記録することを特徴とする記録再生装置。
【請求項７】
前記デジタル情報記録再生装置の制御に基づいて、記録されたデジタル情報を読み出し、前記第２の暗号鍵に基づいた暗号化処理を施して前記デジタル情報記録再生装置に出力することを特徴とする請求項６記載の記録再生装置。
【請求項８】
前記デジタル情報記録再生装置の制御に基づいて、記録されたデジタル情報を読み出し、自己が固有に有する第３の暗号鍵に基づいた暗号化処理を施して、該第３の暗号鍵とともに前記デジタル情報記録再生装置に出力することを特徴とする請求項６記載の記録再生装置。
【発明の詳細な説明】
【０００１】
【発明の属する技術分野】
この発明は、例えばデジタルテレビジョン放送等を受信するデジタル放送受信システムに係り、特にその受信した番組情報を内蔵された記録媒体にデジタル記録する機能を有するデジタル情報記録再生システムに関する。
【０００２】
【従来の技術】
周知のように、近年では、例えば衛星やケーブル等を用いたデジタルテレビジョン放送が盛んに行なわれている。そして、この種のデジタルテレビジョン放送を受信するデジタル放送受信機にあっては、ＨＤＤ（Hard Disk Drive）を内蔵し、受信した番組のストリーム情報をハードディスクにデジタル記録する機能を有するものが普及している。
【０００３】
また、このようなＨＤＤ内蔵のデジタル放送受信機においては、ＩＥＥＥ（the Institute of Electrical & Electronics Engineers）１３９４規格に準拠して接続［ｉ．LINK（登録商標）接続］された、例えばＤ（Digital）−ＶＨＳ（Video Home System）等の外部機器を制御して、ＨＤＤにデジタル記録した番組を、Ｄ−ＶＨＳ機器にデジタルダビングすることも可能となっている。
【０００４】
ところが、このデジタルダビングは、番組によって著作権の問題があるため、コピーフリーの番組のみ可能となる。例えば映画等の番組の場合には、コピー禁止であったり、１回のみコピー可能であったり等、デジタル放送受信機でのデジタルダビングに制限が付されている。このため、ＨＤＤに記録されている全てのデータを、Ｄ−ＶＨＳ機器に記録できるわけではない。
【０００５】
したがって、例えばＨＤＤに記録されているデータのバックアップをとりたい場合にも、コピー制限のない一部の番組しかバックアップをとることができないことになる。このため、ＨＤＤの故障時には、記録済みの番組を２度と見ることができないという事態も生じる。
【０００６】
一般的に、ＨＤＤは、その寿命が、５年または２０，０００時間と言われており、さらに、使用環境（温度、湿度、振動等）によって寿命が短縮されることがある。また、ＨＤＤは、規定された環境条件下で使用しなかったり、適切な取り扱いを行なわなかったりすると、ヘッドクラッシュや吸着・振動等によって障害を引き起こし、最悪の場合は、データ消失等の不都合が生じる恐れがある。
【０００７】
従来では、ＨＤＤの故障、あるいは、寿命による動作不良や機能停止等が生じた場合に、記録済みのデータを取り出すことをあきらめてＨＤＤを交換する以外になかった。また、最近では、ＨＤＤメーカがデータのリカバリーサービスを行なっているが、どのような動作不良のＨＤＤでもデータを再現できるわけではなく、一部または全部のデータ復旧が不可能な場合もある。さらに、データの調査費用や復旧費用が高く、日数がかかる等の問題もある。
【０００８】
このため、メーカ側には、ユーザの希望に応じて、ＨＤＤの内容のバックアップをとって定期的にＨＤＤを交換する（データを移し変える）というサービスが求められている。また、製品の故障等によりユーザから修理を求められた場合にも、ユーザが記録したデータを保護する目的で、ＨＤＤ内のデータのバックアップをとることが望まれている。
【０００９】
例えば、ＨＤＤ内蔵機器のＨＤＤ以外の構成部分を修理する場合でも、メーカの修理担当者は、ＨＤＤが壊れないように注意しながら開梱して修理する必要がある。特に、修理のためにＨＤＤを一旦取り外す必要がある場合等は、細心の注意を払って作業をする必要がある。それでも修理作業中にＨＤＤを壊してしまうという恐れがあるため、修理を行なう前（製品のねじ等をはずして上部パネル等をはずす前）に、ＨＤＤ内のデータのバックアップをとっておくことが求められている。
【００１０】
しかしながら、従来では、ＨＤＤをはずしてパーソナルコンピュータ等に接続し、他のＨＤＤにデータをコピーする以外に方法がなく、ＨＤＤ内蔵のデジタル放送受信機としても、開梱せずに、簡単な方法でＨＤＤのバックアップをとる方法がないのが現状である。
【００１１】
なお、前述したように、ＨＤＤに記録した番組データは、ユーザが視聴することは問題ないが、番組によっては著作権保護のためにコピー制御情報を付加してコピーできないようにしているものがある。つまり、容易にＨＤＤからのコピーを可能にすると、その番組データを第３者が取得し、違法にコピーするといった不正行為が行なわれる可能性があるからである。
【００１２】
そして、通常、ＩＥＥＥ１３９４規格に準拠して外部接続されたＤ−ＶＨＳ機器で、ＨＤＤに記録された番組データの記録を行なう場合、デジタル放送受信機は、映像や音声等のデジタルデータをＩＥＥＥ１３９４規格に基づくストリームの形に変換してＤ−ＶＨＳ機器に出力し記録させるが、コピー制御のかかった番組は出力できないように制御される。
【００１３】
このように、ＨＤＤに記録した番組データを、ＩＥＥＥ１３９４規格に準拠して外部接続されたＤ−ＶＨＳ機器で記録する方法によっても、コピー制御のかかった番組は出力できないため、やはり、ＨＤＤ内の全データのバックアップを取ることはできないことになる。
【００１４】
なお、特開２００１−３３２０２１号公報には、複製禁止データを再生して他の記録媒体に記録する際に、再生された部分毎に再生不可能な状態にして複製を禁止する構成が開示されているが、データのバックアップを行なうことに関しては何らの記載もなされていないものである。
【００１５】
【発明が解決しようとする課題】
そこで、この発明は上記事情を考慮してなされたもので、修理等の際に内蔵記録媒体を取り外すことなく、容易に記録内容のバックアップをとることを可能とした極めて良好なデジタル情報記録再生システムを提供することを目的とする。
【００１６】
【課題を解決するための手段】
この発明に係るデジタル情報記録再生システムは、デジタル情報を記録する第１の記録手段と、この第１の記録手段に対するバックアップ要求に基づいて、該第１の記録手段からデジタル情報を読み出して外部に出力させる制御手段とを有する第１の記録再生装置と；デジタル情報を記録する第２の記録手段を有し、第１の記録再生装置と所定の接続ケーブルによって接続されるもので、第１の記録再生装置によって制御され、制御手段によって外部に出力されたデジタル情報を、第２の記録手段に記録する第２の記録再生装置とを具備し；第１の記録手段は、デジタル情報に第１の暗号鍵に基づいた暗号化処理を施してデジタル記録し、制御手段は、第１の記録手段から読み出した第１の暗号鍵で暗号化されたデジタル情報に、第２の暗号鍵に基づいた暗号化処理を施して外部に出力させるとともに、第２の暗号鍵を外部に出力させ；第２の記録再生装置は、制御手段によって外部に出力されたデジタル情報を第２の暗号鍵に基づいて復号することにより第１の暗号鍵で暗号化されたデジタル情報を得、この得たデジタル情報を第２の記録手段に記録するようにしたものである。
【００１９】
上記のようなシステムによれば、バックアップ要求に基づいて、記録された情報を外部に出力させるようにしたので、修理等の際に内蔵記録媒体を取り外すことなく、容易に記録内容のバックアップをとることを可能とすることができる。
【００２０】
【発明の実施の形態】
以下、この発明の実施の形態について、図面を参照して詳細に説明する。図１において、符号１１はデジタル放送受信機である。このデジタル放送受信機１１には、ＩＥＥＥ１３９４接続ケーブル１２を介してＤ−ＶＨＳ機器１３が接続されている。このデジタル放送受信機１１により、Ｄ−ＶＨＳ機器１３の動作を制御することができる。
【００２１】
また、このデジタル放送受信機１１には、ＡＶ（Audio Video）接続ケーブル１４を介してテレビジョン受信機１５が接続されている。これにより、デジタル放送受信機１１から出力される映像及び音声の信号を、テレビジョン受信機１５で視聴することが可能となる。
【００２２】
図２は、上記デジタル放送受信機１１の詳細を示している。ここでは、デジタル放送受信機１１が、ＢＳ（Broadcasting Satellite）デジタル放送を受信するものとして説明するが、ＣＳ（Communication Satellite）デジタル放送や地上波デジタル放送を受信するものであってもよい。また、ＣＡＴＶ等のような有線による放送を受信するものであってもよい。
【００２３】
さらに、デジタル放送受信機１１としては、図示のように、テレビジョン受信機１５に映像信号及び音声信号等を供給するセットトップボックスであってもようが、テレビジョン受信機１５と一体化されたものであってもよい。また、携帯用のモバイルＴＶ（Television）等であっても良い。
【００２４】
すなわち、入力端子１６に供給された衛星からの高周波信号は、チューナ１７に供給されて所定周波数の信号成分が取り出され、ダウンコンバート処理された後、復調部１８に供給される。この復調部１８では、デジタル変調された信号を復調し、さらに誤り訂正等の処理を行なってＴＳ（Transport Stream）出力を生成する。
【００２５】
そして、この復調部１８から出力されるＴＳは、ＴＳ処理部１９に供給されて映像や音声のストリームに分離された後、映像音声デコード処理部２０に供給される。
【００２６】
この映像音声デコード処理部２０では、ＭＰＥＧ（Moving Picture Image Coding Experts Group）圧縮処理された映像データをデコード処理し、映像・グラフィックス処理部２１に出力している。また、有料放送のストリームは、通常スクランブル処理されているので、これをデスクランブルするデコード処理を行なう。
【００２７】
音声データは、Ｄ／Ａ（Digital／Analog）変換され、音声出力部２２を介してアナログ音声信号として出力される。
【００２８】
そして、映像・グラフィックス処理部２１では、映像信号の各種フォーマット変換処理や、映像上にグラフィックスデータを重畳するＯＳＤ（On Screen Display）表示処理を行なう。映像・グラフィックス処理部２１及び音声出力部２２から出力される映像信号及び音声信号は、それぞれ出力端子２３，２４から前記ＡＶ接続ケーブル１４を介して上記テレビジョン受信機１５に供給され、映像表示及び音声再生される。
【００２９】
ＣＰＵ（Central Processing Unit）２５は、番組を選局しデジタル映像及び音声をデコードするための制御や、ＥＰＧ（Electronic Program Guide）等の各種ユーザーインターフェース機能の制御を行なう他、リモートコントロール入力Ｉ／Ｆ（Inter／Face）部２６を介してリモートコントローラ２７からの操作情報の受信処理を行なう。
【００３０】
メモリ２８は、ＣＰＵ２５に与えるプログラム、文字フォント及びグラフィック表示用のデータの他、放送波データから取得したＥＰＧ等の各種情報を記憶する媒体として、また、各種処理を行なうための作業領域を与える媒体として用いられる。
【００３１】
設定データ記憶部２９は、ＥＥＰＲＯＭ（Electrically Erasable and Programmable Read Only Memory）やフラッシュメモリ等で構成される。この設定データ記憶部２９には、ユーザによって設定された、受信チャンネル、音量、接続するテレビジョン受信機やＶＴＲ（Video Tape Recorder）、電話回線接続等の情報、デジタル放送受信機１１を電源オフする前の選局情報、データ放送での住所、氏名等のユーザ登録設定情報等、各種設定情報が記憶される。デジタル放送受信機１１の電源オン時に、設定データ記憶部２９から必要な情報が読み出され設定されるようになる。
【００３２】
ＨＤＤ制御部３０は、受信番組の記録を行なう場合に、ＴＳ処理部１９からの映像や音声のストリーム、あるいは、データ放送等のデータをコンテンツ保護のため暗号化し、ＨＤＤ３１を介してハードディスク３１ａに記録させる。また、記録した番組をＨＤＤ３１から再生する場合に、データを復号化し、ＴＳ処理部１９を介して映像音声デコード処理部２０に出力する。この場合、暗号化及び復号化に使用する情報（以下、暗号鍵という）は、暗号鍵記憶部３２に記憶されている。
【００３３】
また、デジタル放送受信機１１は、ＩＥＥＥ１３９４規格に準拠した入出力端子３３を備えている。この入出力端子３３は、通常、ｉ．LINK接続端子またはＤＶ（Digital Video）端子とも言われている。この入出力端子３３は、同様に、ＩＥＥＥ１３９４規格に準拠した入出力端子を備えるデジタル放送受信機やデジタル情報記録再生機器（例えばデジタルビデオ機器、デジタルビデオカメラ、ＤＶＤドライブ等）を前記ＩＥＥＥ１３９４接続ケーブル１２で接続して、デジタルデータの通信を行なうものである。このため、画質、音質等の劣化が軽減される他、映像や音声以外の各種デジタルデータ等もやりとりすることが可能となる。
【００３４】
例えば入出力端子３３に接続されたＤ−ＶＨＳ機器１３により磁気テープ１３ａに受信番組の記録を行なう場合、まず、ＩＥＥＥ１３９４Ｉ／Ｆ部３４内のネットワークデータ管理部３５で、ＩＥＥＥ１３９４のネットワーク上に接続された機器（この場合、Ｄ−ＶＨＳ機器１３）が正しくデータを扱える機器であるかどうかの認証を行なう。
【００３５】
次に、機器認証が確立されたならば、ＴＳ処理部１９からＩＥＥＥ１３９４規格に基づくＴＳの形で、映像や音声のデジタル信号をＩＥＥＥ１３９４Ｉ／Ｆ部３４を介して入出力端子３３に出力し、Ｄ−ＶＨＳ機器１３により磁気テープ１３ａに記録する。
【００３６】
また、Ｄ−ＶＨＳ機器１３で磁気テープ１３ａの再生を行なう場合には、同様に、まず、ＩＥＥＥ１３９４Ｉ／Ｆ部３４内のネットワークデータ管理部３５でＤ−ＶＨＳ機器１３の機器認証を行なう。次に、Ｄ−ＶＨＳ機器１３から供給されたデジタル信号を、ＩＥＥＥ１３９４Ｉ／Ｆ部３４を介してＴＳ処理部１９に、デジタル放送の信号と切り替えて供給する。ＴＳ処理部１９は、入力されたデジタル信号から映像や音声のストリームを取り出し、デジタル放送の信号と同様の処理を施して、テレビジョン受信機１５による表示に供させる。
【００３７】
ここで、このデジタル放送受信機１１では、ネットワークデータ管理部３５において、特定機器情報登録部３６に記憶されている特定機器情報と、ＩＥＥＥ１３９４ネットワーク上の接続機器から取得した機器情報とを照らし合わせ、特定の機器であるか否かを判別し認証を行なうようにしている。
【００３８】
この特定機器情報とは、例えばＩＥＥＥ１３９４固有のＩＤ（Identifier）等である。ＩＥＥＥ１３９４規格の機能を持つ機器には、それぞれ固有のＩＤが割り当てられているため、特定機器情報登録部３６に何年何月から何年何月までの、あるメーカＡの製造機器のＩＥＥＥ１３９４固有ＩＤを予め記憶しておくことにより、その接続機器が接続可能な特定の機器であるかどうかを判別することが可能となる。
【００３９】
以上のように構成されたＨＤＤ内蔵のデジタル放送受信機１１は、ユーザがＨＤＤ３１に受信番組を記録し再生する機能を有している。ところが、ＨＤＤ３１には、故障や寿命による動作不良、機能停止が発生する恐れがあり、事前に定期的に記録データのバックアップをとっておく必要がある。
【００４０】
また、ＨＤＤ３１の交換の際には、一旦ＨＤＤ３１内の記録データを取り出してバックアップをとっておく必要がある。さらに、製造メーカやサービス会社による修理の際には、ＨＤＤ３１及びＨＤＤ関連機能以外の修理であっても、その作業によりＨＤＤ３１の故障、動作不良等を引き起こす可能性があるため、修理前にＨＤＤ３１内のデータのバックアップをとっておく必要がある。
【００４１】
このため、この実施の形態では、製品（デジタル放送受信機１１）を分解してＨＤＤ３１を取り外すことなく、簡単な方法でＨＤＤ３１のデータのバックアップをとる機能を有している。
【００４２】
その方法は、ＨＤＤ３１の記録データを、入出力端子３３に接続したＤ−ＶＨＳ機器１３で磁気テープ１３ａにデジタル記録することである。ＩＥＥＥ１３９４規格による接続を利用するため、Ｄ−ＶＨＳ機器１３の操作をデジタル放送受信機１１側から制御できる。このため、ＨＤＤ３１からＤ−ＶＨＳ機器１３へのデータの転送と、ＨＤＤ３１の交換後のＤ−ＶＨＳ機器１３からＨＤＤ３１へのデータの転送とが、容易に行なえるようになる。
【００４３】
しかしながら、ＨＤＤ３１内のデータを簡単に取得できても、番組データの著作権保護及びコンテンツ保護のために第３者が違法コピー等をできないようにする必要がある。
【００４４】
ここで、番組データの著作権保護及びコンテンツ保護について説明する。まず、デジタル放送受信機１１では、番組データをＨＤＤ３１に記録する際に、コンテンツ保護のために暗号化して、ＨＤＤ３１に記録する。以下、ＨＤＤ３１に記録するために番組データに施す暗号化処理を暗号化Ａと表現する。そして、記録した番組データをＨＤＤ３１から再生する場合に、データを復号化する。また、暗号化及び復号化に使用する情報（以下、暗号鍵Ａと表現する）は、暗号鍵記憶部３２に記憶されている。
【００４５】
この暗号鍵Ａは、デジタル放送受信機毎に異なる情報となるように設計、製造されている。このため、他のデジタル放送受信機で記録した番組データを含むＨＤＤを、このデジタル放送受信機１１のＨＤＤ３１と入れ替えても復号化できない。逆に、このデジタル放送受信機１１のＨＤＤ３１を他のデジタル放送受信機のＨＤＤと入れ替えても復号化できないようになっている。これにより、ＨＤＤの番組データを個人で楽しむ以外の目的で第３者が取得しても、番組を見れないようにしている。
【００４６】
さらに、デジタル放送受信機１１では、ＩＥＥＥ１３９４規格に準拠して接続されたＤ−ＶＨＳ機器１３に番組データの転送を行なう場合にも、コンテンツ保護のためにコピーガード（コピープロテクション）技術を用いている。このコピーガードは、例えばＤＴＣＰ（Digital Transmission Content Protection）のような技術である。
【００４７】
まず、番組データのやりとりに先立って、デジタル放送受信機１１が、Ｄ−ＶＨＳ機器１３との間で、データを正しく扱える特定の機器であるかどうかの認証を行ない、認証を確立したならば暗号化及び復号化に使用する情報（以下、暗号鍵Ｂと表現する）を、デジタル放送受信機１１からＤ−ＶＨＳ機器１３に渡す。
【００４８】
デジタル放送受信機１１は、上記暗号化Ａの処理されたＨＤＤ３１内の番組データを、さらにＩＥＥＥ１３９４接続のために暗号化し、ＩＥＥＥ１３９４規格に基づくストリームの形に変換して入出力端子３３に出力する。以下、ＩＥＥＥ１３９４接続のために番組データに施す暗号化処理を暗号化Ｂと表現する。
【００４９】
そして、Ｄ−ＶＨＳ機器１３では、入力された番組データを暗号鍵Ｂを用いて復号化し、磁気テープ１３ａに記録する。また、暗号化Ｂだけでなく、番組毎に付加されたコピー禁止あるいは１回のみコピー可能といったコピー制御情報も併せてやりとりすることが可能である。これにより、非認証機器からデータを保護することが可能となる。
【００５０】
このように、暗号化Ａ及び暗号化Ｂの２重の暗号化処理を行うことによって、ＩＥＥＥ１３９４接続によりデジタル放送受信機１１から外部に出力される番組データを第３者が取得しても、その番組データを正常に再生することが困難になり、不正にコピーして悪用するといったことを防止することができ、番組データの著作権保護及びコンテンツ保護が可能になる。
【００５１】
ここで、暗号化Ａと暗号化Ｂの違いについて説明する。暗号化Ａは、ＨＤＤ３１内のコンテンツ保護を目的としたもので、ＨＤＤ３１内の番組データのファイル毎に、あるいは、番組データの適当なブロック単位毎に暗号化をかける。このため、暗号鍵Ａは、番組データ数分、あるいは、ブロック数分、存在することになる。
【００５２】
また、暗号化Ｂは、ＩＥＥＥ１３９４によるネットワーク上でやりとりするデータを保護することを目的としている。ネットワーク上のデータは、第３者が容易に取得でき、改ざんされたり違法コピーされたり等、悪用される危険性があるためである。
【００５３】
ネットワーク上に出力するデータは、ＩＥＥＥ１３９４規格のＴＳの形式に変換され、さらに、適当な時間単位で暗号鍵の内容を変更しながら暗号化される。すなわち、暗号鍵は、適当な時間単位で変更されるため、その都度、デジタル放送受信機１１とＤ−ＶＨＳ機器１３との間で暗号鍵Ｂの交換が行なわれる。
【００５４】
そして、データ記録側（Ｄ−ＶＨＳ機器１３側）では、暗号鍵Ｂを常時監視することができない、あるいは、時間変化に応じて暗号鍵を全て記憶することができないため、暗号化Ｂを復号化してから磁気テープ１３ａに記録する。また、記録機器によっては、暗号化Ｂのままではフォーマットが変換されているため、映像や音声のデータと認識されないため記録できないというものもある。
【００５５】
このように、暗号化Ａと暗号化Ｂとは、その内容、暗号のかけ方が異なるものである。
【００５６】
また、上記暗号化Ｂのための機器認証について、この実施の形態では、認証可能な機器を特定の機器のみに制限している。特定機器情報登録部３６に特定の機器のＩＥＥＥ１３９４固有ＩＤ等の情報を記憶しておき、このデータと照らし合わせて機器認証を行なうようにしている。
【００５７】
例えば、特定の機器は、何年何月から何年何月までの、あるメーカＡの製造分のＩＥＥＥ１３９４固有ＩＤを持つものであるとか、１つあるいは少数の接続可能なＤ−ＶＨＳ機器のＩＥＥＥ１３９４固有ＩＤを持つものとする。これにより、ＨＤＤからの番組データの転送に使用可能なＤ−ＶＨＳ機器は、事前に指定した機器のみに特定することが可能となる。そして、暗号鍵Ｂをやりとりするのは、事前に指定された機器のみである。また、暗号鍵Ｂは、暗号鍵Ａと同様、暗号鍵記憶部３２に記憶されている。
【００５８】
ここで、上記に説明したＨＤＤ３１からの番組データの転送は、デジタル放送受信機１１の通常の動作モードでは実行できないようになっている。これは、製造モード及び修理モード（サービスモードとも表現する）でのみ実行可能とすることで、さらに番組データの著作権保護及びコンテンツ保護が可能になる。
【００５９】
通常の動作モードでは、ＩＥＥＥ１３９４接続されたＤ−ＶＨＳ機器１３に受信番組の記録を行なう場合、デジタル放送受信機１１は、映像や音声のデジタル信号をＩＥＥＥ１３９４規格に基づくストリームの形に変換して入出力端子３３に出力し、Ｄ−ＶＨＳ機器１３で磁気テープ１３ａに記録させる。
【００６０】
ところが、コピー制御のかかった番組は、ＩＥＥＥ１３９４規格では出力できないように制御される。これは、上記に一例として説明したＤＴＣＰ等のようなコピーガード技術によって、番組データの出力を制限しているからである。
【００６１】
このため、通常、ＨＤＤ３１に記録した番組データをＤ−ＶＨＳ機器１３で記録する場合も、コピー制御のかかった番組は出力できないので、ＨＤＤ３１内の全データのバックアップを取ることができないことになる。
【００６２】
そこで、この実施の形態では、ＩＥＥＥ１３９４接続によるＨＤＤ３１からのデータ転送ソフトウェアは、ＨＤＤ３１のデータバックアップを目的としたものであって、ユーザが使用できないように制限した製造モードあるいは修理モードでのみ動作可能なソフトウェアとしている。
【００６３】
製造モードとは、製造現場で、製品の出荷前に各種調整等を行なうことを主な目的としたソフトウェアを動作させるモードである。修理モード（あるいはサービスモードと呼ぶ）とは、市場で製品に何らかの問題が発生した場合に、サービスマンが客先で製品の修理や調整等を行なったり、不具合のある製品をメーカに戻してから修理や調整等を行なったりすることを主な目的としたソフトウェアを動作させるモードである。
【００６４】
この製造、修理モードは、ユーザが簡単に入れないようなソフトウェア構造になっており、製造、修理モードに入るためには特定の操作を必要とする。
【００６５】
例えば、デジタル放送受信機１１のソフトウェアは、専用のリモートコントロールキーコードを受信した場合や、リモートコントロールキーや本体キーの特定の操作を行なった場合にのみ、製造、修理モードに入れるようなソフトウェア構造となっている。
【００６６】
あるいは、例えば、ＩＣカードやメモリカードといった携帯用の小型記憶媒体に、製造、修理モードの専用ソフトウェアが書きこまれており、デジタル放送受信機１１に小型記憶媒体を装着することで、専用ソフトウェアが起動し、製造、修理モードが動作するようになっている。
【００６７】
このように、通常の動作モードでは、ユーザや第３者が勝手にＨＤＤ３１のコピー制御のかかった番組データをコピーできないようにしておき、製造モード及び修理モードでのみ、上記に説明したＨＤＤ３１からのデータ転送ソフトウェアが使用可能となることで、ＨＤＤ３１内の番組データのさらなる著作権保護及びコンテンツ保護が可能となる。
【００６８】
次に、ＨＤＤ３１からの番組データを記録するＤ−ＶＨＳ機器１３について説明する。まず、ＨＤＤ３１からのデータ転送を行なうのは、製造モード及び修理モードでの使用に限定されるため、Ｄ−ＶＨＳ機器１３においても通常の市販品の動作ではなく、専用のソフトウェアで動作することが必要である。
【００６９】
デジタル放送受信機１１と同様に、番組データの転送は、製造モード及び修理モードでのみ動作する専用ソフトウェア構造であるか、完全に市販品と動作の異なるＤ−ＶＨＳ機器である。また、ＩＥＥＥ１３９４接続のための機器認証について、認証可能な特定のＩＥＥＥ１３９４固有ＩＤ等の情報を有する機器である必要がある。
【００７０】
この特定機器情報登録部３６のＩＥＥＥ１３９４固有ＩＤについては、各デジタル受信機に予め記憶されている情報である以外に、例えば受信機プログラムの衛星ダウンロードを行ない、ＩＥＥＥ１３９４固有ＩＤを書き込むようにしてもよい。衛星ダウンロードとは、受信機プログラムの不具合修正や機能追加等の目的のため、衛星からの放送波に受信機プログラムを重畳して送信し、それを受信した受信機が自動的にプログラムを書き替えるというものである。
【００７１】
これにより、ＩＥＥＥ１３９４固有ＩＤを特定機器情報登録部３６に書く、あるいは書き替える場合、そのＩＤ情報は、受信機プログラム中に書かれているので第３者によりその情報を改ざんされ難いという情報保護上の利点がある。
【００７２】
また、例えばＩＣカードやメモリカードといった携帯用の小型記憶媒体に、特定の機器のＩＥＥＥ１３９４固有ＩＤが書きこまれており、各デジタル放送受信機１１にそれらが装着されることで、特定機器情報登録部３６にＩＥＥＥ１３９４固有ＩＤが書き込まれる、あるいは書き替えられるようにする。
【００７３】
これにより、製造あるいは修理の際や客先での作業の際に、実際に使用するＤ−ＶＨＳ機器のＩＤ情報を書き込めることから、ＩＤ情報の保護だけでなくサービス性が良いという利点がある。
【００７４】
次に、図３は、上述したようなデジタル放送受信機１１の動作をまとめたフローチャートを示している。まず、開始（ステップＳ１１）されると、特定の操作を行なうことによって、デジタル放送受信機１１を製造、修理モードに設定する（ステップＳ１２）。
【００７５】
その後、データ転送に使用する所定のＤ−ＶＨＳ機器１３を製造、修理モードに設定する（ステップＳ１３）。この状態で、デジタル放送受信機１１及びＤ−ＶＨＳ機器１３は、データ転送ソフトウェアが動作可能な状態となる。
【００７６】
次に、デジタル放送受信機１１の入出力端子３３と、Ｄ−ＶＨＳ機器１３の図示しないＩＥＥＥ１３９４入出力端子とを、ＩＥＥＥ１３９４接続ケーブル１２で接続する（ステップＳ１４）。
【００７７】
そして、デジタル放送受信機１１が、接続されているＤ−ＶＨＳ機器１３のＩＥＥＥ１３９４固有ＩＤと、特定機器情報登録部３６に登録されているＩＥＥＥ１３９４固有ＩＤ情報とを比較して機器の認証を行ない、ＨＤＤ３１とのデータ転送を行なうことが可能なＤ−ＶＨＳ機器１３であるか否かを確認し（ステップＳ１５）、正常に機器認証が行なわれない場合（ＮＯ）は、処理を終了（ステップＳ２４）する。
【００７８】
ステップＳ１５で正常に機器認証が行なわれた場合（ＹＥＳ）、デジタル放送受信機１１からＤ−ＶＨＳ機器１３を制御し、データ転送を実施できるように操作設定を行なう（ステップＳ１６）。そして、ＨＤＤ３１からＤ−ＶＨＳ機器１３にデータ転送を行なうのか、あるいは、Ｄ−ＶＨＳ機器１３からＨＤＤ３１にデータ転送を行なうのかを設定する（ステップＳ１７）。
【００７９】
ＨＤＤ３１からＤ−ＶＨＳ機器１３にデータ転送を行なう場合（ＹＥＳ）、暗号化及び復号化に使用する暗号鍵Ｂを、デジタル放送受信機１１からＤ−ＶＨＳ機器１３に渡す（ステップＳ１８）。
【００８０】
デジタル放送受信機１１は、前述の通り暗号化Ａの施されたＨＤＤ３１内の番組データに、さらにＩＥＥＥ１３９４接続のために暗号化Ｂを行なって、入出力端子３３に出力し、データ転送を実行する（ステップＳ１９）。
【００８１】
そして、Ｄ−ＶＨＳ機器１３で、暗号鍵Ｂを用いて復号化を行ない、磁気テープ１３ａに記録して（ステップＳ２０）、処理を終了（ステップＳ２４）する。これにより、ＨＤＤ３１からＤ−ＶＨＳ機器１３にデータのバックアップが行なえる。
【００８２】
次に、Ｄ−ＶＨＳ機器１３でバックアップをとったデータを、再度ＨＤＤ３１に戻す場合について説明する。上記と同様に、まず、特定の操作によりデジタル受信機１１の製造、修理モードに入る（ステップＳ１２）。
【００８３】
その後、データ転送に使用する所定のＤ−ＶＨＳ機器１３の製造、修理モードに入る（ステップＳ１３）。この状態で、デジタル放送受信機１１とＤ−ＶＨＳ機器１３とは、データ転送ソフトウェアが動作可能な状態となる。
【００８４】
次に、デジタル放送受信機１１の入出力端子３３と、Ｄ−ＶＨＳ機器１３の図示しないＩＥＥＥ１３９４入出力端子とを、ＩＥＥＥ１３９４接続ケーブル１２で接続する（ステップＳ１４）。
【００８５】
そして、デジタル放送受信機１１が、接続されているＤ−ＶＨＳ機器１３のＩＥＥＥ１３９４固有ＩＤと、特定機器情報登録部３６に登録されているＩＥＥＥ１３９４固有ＩＤ情報とを比較して機器の認証を行ない、ＨＤＤ３１とのデータ転送を行なうことが可能なＤ−ＶＨＳ機器１３であるか否かを確認する（ステップＳ１５）。
【００８６】
あるいは、Ｄ−ＶＨＳ機器１３は、ＨＤＤ３１とのデータ転送を行なったデジタル放送受信機１１のＩＤ情報を記憶しており、そのデジタル放送受信機１１にのみデータを出力することが可能なように機器認証を行なうようにする。
【００８７】
そして、正常に機器認証が行なわれない場合（ＮＯ）には、処理を終了（ステップＳ２４）する。また、正常に機器認証が行なわれた場合（ＹＥＳ）には、デジタル放送受信機１１がＤ−ＶＨＳ機器１３を制御し、データ転送を実施できるように操作設定を行なう（ステップＳ１６）。
【００８８】
その後、ＨＤＤ３１からＤ−ＶＨＳ機器１３にデータ転送を行なうのか、あるいは、Ｄ−ＶＨＳ機器１３からＨＤＤ３１にデータ転送を行なうのかを設定する（ステップＳ１７）。
【００８９】
Ｄ−ＶＨＳ機器１３からＨＤＤ３１にデータ転送を行なう場合（ＮＯ）、Ｄ−ＶＨＳ機器１３は、ＨＤＤ３１からのデータ転送の際に交換した暗号鍵Ｂを使用して、ＩＥＥＥ１３９４接続のための暗号化Ｂを行なって、デジタル放送受信機１１にデータ転送を実行する（ステップＳ２２）。なお、ステップＳ２１については後述する。
【００９０】
このとき、デジタル放送受信機１１は、Ｄ−ＶＨＳ機器１３から供給されたデータを、暗号鍵記憶部３２に記憶されている暗号鍵Ｂを使用して復号化し、ＨＤＤ３１で記録し（ステップＳ２３）、処理を終了（ステップＳ２４）する。これにより、ＨＤＤ３１内には、暗号化Ａの施された番組データとしてデータを戻すことが可能になる。
【００９１】
上記の説明では、ＨＤＤ３１のデータバックアップの際に鍵交換した暗号鍵Ｂを使用するため、ステップＳ２１の所定の暗号鍵交換処理は行なわない。既に、デジタル放送受信機１１側には暗号鍵Ｂが記憶されているためと、別のデジタル放送受信機にデータをコピーしたり、第３者がデータを悪用するのを防ぐためである。
【００９２】
また、デジタル放送受信機１１のＨＤＤ３１からデータのバックアップをとる際に、暗号鍵Ｂの交換（ステップＳ１８）と併せて、暗号鍵Ｂと異なる所定の暗号鍵Ｃを交換しておき、Ｄ−ＶＨＳ機器１３からＨＤＤ３１にデータを戻す際には、暗号鍵Ｃを使用するようにしても良い。
【００９３】
その他の実施の形態として、Ｄ−ＶＨＳ機器１３が持っている固有の暗号鍵を使用してデータ暗号化と転送を行なう場合には、暗号鍵の交換（ステップＳ２１）を行なってからデータ伝送を実行するようになる。
【００９４】
また、デジタル放送受信機１１からＤ−ＶＨＳ機器３１にＩＥＥＥ１３９４で接続する際には、通常、接続機器の認証が行なわれ、接続されている機器の確認が行なわれる。この確認時点で専用のソフトウェア処理の可能なＤ−ＶＨＳ機器１３であると認証されたならば、自動的にＨＤＤ３１のデータを転送可能にする、あるいは、Ｄ−ＶＨＳ機器１３からのデータをＨＤＤ３１に記録するというようなソフトウェア処理、構造であってもよい。
【００９５】
以上のような構成、ソフトウェア処理とすることで、コンテンツ保護を可能にしながら、製品を分解せず簡単にＩＥＥＥ１３９４の入出力端子３３を経由してＨＤＤ３１からＤ−ＶＨＳ機器１３にデータを転送し、バックアップをとることと、Ｄ−ＶＨＳ機器１３からバックアップを取ったデータをＨＤＤ３１に転送することとが可能になる。
【００９６】
さらには、製品を分解せずＨＤＤ３１のバックアップを行なえるため、製造メーカやサービス会社の技術者がユーザ宅に訪問して作業ができるようになり、ＨＤＤ３１のバックアップサービスが実施できる以外に、ＨＤＤ３１の交換及び修理の費用や日数も軽減できるという効果も期待できる。
【００９７】
また、ＩＥＥＥ１３９４接続される機器として、Ｄ−ＶＨＳ機器１３を用いて説明したが、これに限定されるものではなく、例えばＩＥＥＥ１３９４接続可能なＤＶＤ−ＲＡＭやＨＤＤ接続アダプタ等であってもよく、内容に逸脱しない範囲内で様々な構成が可能である。
【００９８】
さらに、上記した説明のように、デジタル放送受信機１１内のＨＤＤ３１のデータだけでなく、デジタル放送受信機１１内のＥＥＰＲＯＭ、ＦＬＡＳＨメモリ等の設定データ記憶部２９のデータについても、ＩＥＥＥ１３９４接続したＤ−ＶＨＳ機器１３にデータを転送し、バックアップをとることを可能にする。
【００９９】
設定データ記憶部２９には、ユーザによる受信チャンネル、音量、接続するテレビジョン受信機やＶＴＲ、電話回線接続等の設定情報や、デジタル放送受信機１１を電源オフする前の選局情報以外に、データ放送での住所、氏名、電話番号等のユーザ登録設定情報等、各種設定情報が記憶されている。
【０１００】
しかしながら、従来は、製品の修理でＥＥＰＲＯＭやＦＬＡＳＨメモリを交換する場合に、これらのデータのバックアップをとる方法がなかった。さらには、修理後にこれらデータを全て消去し、製品の工場出荷状態に戻してから、ユーザに戻すようにしていた。
【０１０１】
そこで、これらの設定情報を製品の修理前に一旦Ｄ−ＶＨＳ機器１３にバックアップをとり、修理後に設定データ記憶部２９にデータを戻すことにより、ユーザによる設定条件等を全て修理前の状態してからユーザに戻すことが可能になる。
【０１０２】
このように、ＨＤＤ３１と設定データ記憶部２９のデータを、ＩＥＥＥ１３９４接続によりＤ−ＶＨＳ機器１３にバックアップをとり、修理後、それらのデータを元に戻すことを可能にすることによって、製品の修理後、ユーザによる設定条件、ＨＤＤ３１の記録内容等を全て修理前の状態してからユーザに戻すことが可能になる。
【０１０３】
また、上述の通り、ＥＥＰＲＯＭやＦＬＡＳＨメモリ等のデータには、ユーザの選局、音量、接続ＶＴＲ等の設定以外に、住所、氏名、電話番号等のユーザ登録情報も含まれている。このため、これらデータの転送をユーザの使用不可に制限した製造、修理モードでのみ動作可能なソフトウェア処理としたことにより、製品故障時の修理等の際にデータのバックアップを目的としてのみ使用され、番組データの違法コピー等により悪用されることやユーザ個人情報等の流出を防止できるという効果が期待できる。
【０１０４】
ここで、ＨＤＤ３１からＤ−ＶＨＳ機器１３にデータを転送した後は、ハードディスク３１ａの内容は全て自動的に消去される。逆に、Ｄ−ＶＨＳ機器１３からＨＤＤ３１にデータを転送した後は、磁気テープ１３ａの内容は全て自動的に消去される。
【０１０５】
なお、この発明は上記した実施の形態に限定されるものではなく、この外その要旨を逸脱しない範囲で種々変形して実施することができる。
【０１０６】
【発明の効果】
以上詳述したようにこの発明によれば、修理等の際に内蔵記録媒体を取り外すことなく、容易に記録内容のバックアップをとることを可能とした極めて良好なデジタル情報記録再生システムを提供することができる。
【図面の簡単な説明】
【図１】この発明の実施の形態を示すもので、全体的なシステム構成を説明するために示す図。
【図２】同実施の形態におけるデジタル放送受信機の詳細を説明するために示すブロック構成図。
【図３】同実施の形態におけるデータバックアップ動作を説明するために示すフローチャート。
【符号の説明】
１１…デジタル放送受信機、
１２…ＩＥＥＥ１３９４接続ケーブル、
１３…Ｄ−ＶＨＳ機器、
１４…ＡＶ接続ケーブル、
１５…テレビジョン受信機、
１６…入力端子、
１７…チューナ、
１８…復調部、
１９…ＴＳ処理部、
２０…映像音声デコード処理部、
２１…映像・グラフィックス処理部、
２２…音声出力部、
２３…映像出力端子、
２４…音声出力端子、
２５…ＣＰＵ、
２６…リモートコントロールＩ／Ｆ部、
２７…リモートコントローラ、
２８…メモリ、
２９…設定データ記憶部、
３０…ＨＤＤ制御部、
３１…ＨＤＤ、
３２…暗号鍵記憶部、
３３…入出力端子、
３４…ＩＥＥＥ１３９４Ｉ／Ｆ部、
３５…ネットワークデータ管理部、
３６…特定機器情報登録部。
【図１】
0003769236.tif 000002
【図２】
0003769236.tif 000003
【図３】
0003769236.tif 000004